(57)【要約】【課題】光源からの出射光を第１および第２光学部材で順次制御するように構成された灯具ユニットにおいて、その配光機能を高める。【解決手段】光源を支持する基台３０に対して、リフレクタ２６と投影レンズを支持するレンズホルダ２８とが、上下方向に重ね合わされた状態でかつ基台３０の第１および第２支持面３０ｂ１、３０ｂ２にそれぞれ当接した状態で、ネジ５０によって固定された構成とする。その上で、レンズホルダ２８の厚肉部２８Ｂａの下面２８Ｂａ２に、ネジ５０の締付けによる上下方向の押圧力によって潰れる脆弱部２８Ｂｃが形成された構成とする。これにより各部材の寸法精度にバラツキがあってもリフレクタ２６と基台３０とによってレンズホルダ２８を確実に挟持可能とし、第１支持面３０ｂ１を光源２４ならびにリフレクタ２６および投影レンズの共通の光学基準面ＲＰとして設定可能とする。【選択図】図２
2018045978.tif 000002
【特許請求の範囲】
【請求項１】
光源を支持する基台と、上記光源からの出射光を制御する第１光学部材と、この第１光学部材で制御された光をさらに制御する第２光学部材と、を備えた灯具ユニットにおいて、
上記基台に、上記第１光学部材を支持するための第１支持面と上記第２光学部材を支持するための第２支持面とが、所要方向に関して互いに異なる位置に形成されており、
上記第１および第２光学部材は、上記所要方向に重ね合わされた状態で、かつ上記第１および第２支持面にそれぞれ当接した状態で、固定具によって上記基台に固定されており、
上記第１および第２光学部材のうち上記基台側に位置する光学部材における上記基台側の表面に、上記固定具による上記所要方向の押圧力によって潰れる脆弱部が形成されている、ことを特徴とする灯具ユニット。
【請求項２】
上記固定具は、上記第１および第２光学部材を上記基台に対して共締め可能なネジによって構成されている、ことを特徴とする請求項１記載の車両用灯具。
【請求項３】
上記第１および第２支持面は、互いに略同心状に形成されている、ことを特徴とする請求項１または２記載の灯具ユニット。
【請求項４】
上記基台に、上記第１および第２支持面よりも上記所要方向に突出する突出部が形成されており、
上記第１および第２光学部材のうち上記基台とは反対側に位置する光学部材における上記基台とは反対側の表面に、上記固定具による上記所要方向の押圧力によって潰れる第２の脆弱部が形成されており、
上記第２の脆弱部は、上記脆弱部よりも潰れにくい構成となっている、ことを特徴とする請求項１〜３いずれか記載の灯具ユニット。
【発明の詳細な説明】
【技術分野】
【０００１】
本願発明は、光源からの出射光を第１および第２光学部材で順次制御するように構成された灯具ユニットに関するものである。
【背景技術】
【０００２】
従来より、車両用灯具等の灯具ユニットとして、光源を支持する基台と、光源からの出射光を制御する第１光学部材と、この第１光学部材で制御された光をさらに制御する第２光学部材とを備えたものが知られている。
【０００３】
「特許文献１」の図８には、このような灯具ユニットにおいて、光源を支持する基台（６）に対して、第１光学部材（４）がその段付きボス（３８）の先端面を基台（６）の下面に当接させた状態で支持されており、その際、段付きボス（３８）の先端部（３９）に嵌め込まれた第２光学部材（１２）が、第１光学部材（４）と基台（６）とによって挟持された構成が記載されている。
【先行技術文献】
【特許文献】
【０００４】
【特許文献１】仏国特許第３０２１４５９号明細書
【発明の概要】
【発明が解決しようとする課題】
【０００５】
上記「特許文献１」に記載された灯具ユニットにおいては、基台（６）の下面に第１光学部材（４）および第２光学部材（１２）が当接しているので、この基台（６）の下面を、光源と第１光学部材（４）と第２光学部材（１２）との共通の光学基準面とすることができ、これにより灯具ユニットの配光機能を高めることが可能となる。
【０００６】
しかしながら、第２光学部材（１２）を挟み込むために第１光学部材（４）に形成された段付きボス（３８）の先端部（３９）の高さと第２光学部材（１２）の肉厚とが、それぞれの寸法精度のバラツキによって一致していない場合には、基台（６）の下面が共通の光学基準面とはならないので、灯具ユニットの配光機能を高めることができなくなってしまう。
【０００７】
本願発明は、このような事情に鑑みてなされたものであって、光源からの出射光を第１および第２光学部材で順次制御するように構成された灯具ユニットにおいて、その配光機能を高めることができる灯具ユニットを提供することを目的とするものである。
【課題を解決するための手段】
【０００８】
本願発明は、第１および第２光学部材のうち基台側に位置する光学部材の構成に工夫を施すことにより、上記目的達成を図るようにしたものである。
【０００９】
すなわち、本願発明に係る灯具ユニットは、
光源を支持する基台と、上記光源からの出射光を制御する第１光学部材と、この第１光学部材で制御された光をさらに制御する第２光学部材と、を備えた灯具ユニットにおいて、
上記基台に、上記第１光学部材を支持するための第１支持面と上記第２光学部材を支持するための第２支持面とが、所要方向に関して互いに異なる位置に形成されており、
上記第１および第２光学部材は、上記所要方向に重ね合わされた状態で、かつ上記第１および第２支持面にそれぞれ当接した状態で、固定具によって上記基台に固定されており、
上記第１および第２光学部材のうち上記基台側に位置する光学部材における上記基台側の表面に、上記固定具による上記所要方向の押圧力によって潰れる脆弱部が形成されている、ことを特徴とするものである。
【００１０】
上記「光源」の種類は特に限定されるものではなく、例えば発光ダイオードやレーザダイオード等の発光素子あるいは白熱バルブ等が採用可能である。
【００１１】
上記「第１および第２光学部材」の各々の種類は特に限定されるものではなく、例えばリフレクタやレンズあるいはシェード等が採用可能である。
【００１２】
上記「所要方向」の具体的な方向は特に限定されるものではなく、例えば上下方向や左右方向等が採用可能である。
【００１３】
上記「第１および第２支持面」は、所要方向に関して互いに異なる位置に形成されていれば、その各々の具体的な配置や形状は特に限定されるものではない。
【００１４】
上記「固定具」は、所要方向の押圧力によって第１および第２光学部材を基台に固定可能なものであれば、その具体的な構成は特に限定されるものではない。
【００１５】
上記「脆弱部」は、固定具による所要方向の押圧力によって潰れるものであれば、その具体的な構成は特に限定されるものではなく、例えば縞状や網目状に形成された凹凸部等が採用可能である。
【発明の効果】
【００１６】
本願発明に係る灯具ユニットは、光源を支持する基台に第１光学部材を支持するための第１支持面と第２光学部材を支持するための第２支持面とが所要方向に関して互いに異なる位置に形成されるとともに、第１および第２光学部材が所要方向に重ね合わされた状態でかつ第１および第２支持面にそれぞれ当接した状態で固定具によって基台に固定された構成となっているが、第１および第２光学部材のうち基台側に位置する光学部材における基台側の表面には固定具による所要方向の押圧力によって潰れる脆弱部が形成されているので、次のような作用効果を得ることができる。
【００１７】
すなわち、第１および第２光学部材を基台に固定するために固定具によって両者に所要方向の押圧力を加えたとき、基台側に位置する光学部材の脆弱部が潰れることにより、たとえ各部材の寸法精度にバラツキがあったとしても、基台とは反対側に位置する光学部材が第１または第２支持面に当接したとき、この光学部材と基台とによって基台側に位置する光学部材を確実に挟持することができる。
【００１８】
その際、基台側に位置する光学部材における基台とは反対側の表面は、基台の第１または第２支持面と面一となり、また、基台とは反対側に位置する光学部材における基台側の表面とも面一となるので、この第１または第２支持面を、光源ならびに第１および第２光学部材の共通の光学基準面として設定することができる。そしてこれにより灯具ユニットの配光機能を高めることができる。
【００１９】
このように本願発明によれば、光源からの出射光を第１および第２光学部材で順次制御するように構成された灯具ユニットにおいて、その配光機能を高めることができる。
【００２０】
上記構成において、固定具として、第１および第２光学部材を基台に対して共締め可能なネジで構成されたものとすれば、所要方向の押圧力を容易かつ確実に作用させることができる。
【００２１】
上記構成において、第１および第２支持面が互いに同心状に形成された構成とすれば、第１および第２光学部材の各々に対して所要方向の押圧力を均等に作用させることができる。
【００２２】
上記構成において、基台に、第１および第２支持面よりも所要方向に突出する突出部が形成された構成とした上で、第１および第２光学部材のうち基台とは反対側に位置する光学部材における基台とは反対側の表面に、固定具による所要方向の押圧力によって潰れる第２の脆弱部が形成された構成とし、これを脆弱部よりも潰れにくい構成とすれば、次のような作用効果を得ることができる。
【００２３】
すなわち、第１および第２光学部材を基台に固定する際、仮に所要方向の押圧力が過大に作用してしまったような場合においても、基台側に位置する光学部材の脆弱部が潰れた後、基台とは反対側に位置する光学部材の第２の脆弱部が潰れることにより、その余分な押圧力を吸収することができる。そしてこれにより、基台とは反対側に位置する光学部材の本体部分（すなわち第２の脆弱部以外の部分）が不用意に変形してしまうのを未然に防止することができる。
【図面の簡単な説明】
【００２４】
【図１】本願発明の一実施形態に係る車両用灯具を示す側面図
【図２】（ａ）は図１のIIａ部断面詳細図、（ｂ）は（ａ）の図を各構成要素に分解して示す図
【図３】上記実施形態の要部をその第１〜第３変形例と共に示す底面図
【図４】上記実施形態の第４変形例を示す、図２と同様の図
【発明を実施するための形態】
【００２５】
以下、図面を用いて、本願発明の実施の形態について説明する。
【００２６】
図１は、本願発明の一実施形態に係る車両用灯具１０を示す側面図である。
【００２７】
同図に示すように、本実施形態に係る車両用灯具１０は、ランプボディ１２とその前端開口部に取り付けられた素通し状の透光カバー１４とで形成される灯室内に灯具ユニット２０が収容された構成となっている。
【００２８】
灯具ユニット２０は、ハイビーム照射用のヘッドランプユニットであって、ブラケット４０に支持された状態で、ランプボディ１２に対してピボット４２およびエイミングスクリュウ４４を介して上下方向および左右方向に回動可能に支持されている。
【００２９】
灯具ユニット２０は、車両前後方向に延びる光軸Ａｘを有する投影レンズ２２と、この投影レンズ２２の後側焦点Ｆよりも後方側に配置された光源２４と、この光源２４を上方側から覆うように配置され、該光源２４からの光を投影レンズ２２へ向けて反射させるリフレクタ２６とを備えたプロジェクタ型の灯具ユニットとして構成されている。
【００３０】
光源２４は、白色発光ダイオードであって、ブロック状に形成された基台３０の上面３０ａに支持されている。この基台３０は、ヒートシンクとしての機能を有するダイカスト成形品であって、灯具ユニット２０はこの基台３０の部分においてブラケット４０に支持されている。
【００３１】
リフレクタ２６は基台３０に支持されており、投影レンズ２２はレンズホルダ２８を介して基台３０に支持されている。リフレクタ２６およびレンズホルダ２８は、いずれも樹脂成形品として構成されている。
【００３２】
リフレクタ２６には、その下端周縁部の前端部に左右１対のタブ部２６ａが形成されており、また、その下端周縁部の後端部にタブ部２６ｂが形成されている。左右１対のタブ部２６ａおよびタブ部２６ｂは、いずれも水平面に沿って平板状に延びるように形成されている。そして、リフレクタ２６は、左右１対のタブ部２６ａおよびタブ部２６ｂの３箇所において上方側からネジ５０を締め付けることによって基台３０に固定されている。
【００３３】
一方、レンズホルダ２８は、投影レンズ２２を支持する円環部２８Ａと、この円環部２８Ａの両側部から後方へ向けて延びる左右１対の第１板状部２８Ｂと、両第１板状部２８Ｂの後端部同士を連結する第２板状部２８Ｃとを備えている。
【００３４】
左右１対の第１板状部２８Ｂおよび第２板状部２８Ｃは、いずれも光軸Ａｘのやや下方において水平面に沿って平板状に延びるように形成されているが、上記３箇所に対応する部分は上下両方向へ突出する厚肉部２８Ｂａ、２８Ｃａとして形成されている。
【００３５】
このレンズホルダ２８は、左右１対の第１板状部２８Ｂおよび第２板状部２８Ｃの３箇所において基台３０に対してリフレクタ２６と共締めされている。
【００３６】
基台３０の上面３０ａにおける上記３箇所に対応する部分には、ネジ５０の締付けを行うための段付きボス部３０ｂ、３０ｃが形成されている。
【００３７】
上記３箇所におけるリフレクタ２６およびレンズホルダ２８の基台３０への固定構造はいずれも同様である。そこで、以下においてはリフレクタ２６の左前端部における固定構造について説明する。
【００３８】
図２（ａ）は、図１のIIａ部断面詳細図であって、リフレクタ２６の左前端部における固定構造を示す図である。また、図２（ｂ）は、この固定構造を各構成要素に分解して示す図である。
【００３９】
図２（ａ）、（ｂ）に示すように、段付きボス部３０ｂは、基台３０の上面３０ａから円筒状に突出する大径部３０ｂＡとこの大径部３０ｂＡの上面から円筒状に突出する小径部３０ｂＢとが同心状に形成された構成となっている。そして、この段付きボス部３０ｂにおいては、その小径部３０ｂＢの上面がリフレクタ２６のタブ部２６ａを支持するための第１支持面３０ｂ１を構成しており、その大径部３０ｂＡの上面がレンズホルダ２８の厚肉部２８Ｂａを支持するための第２支持面３０ｂ２を構成している。
【００４０】
レンズホルダ２８の厚肉部２８Ｂａは、段付きボス部３０ｂの大径部３０ｂＡよりも僅かに小さい外径を有しており、その中央部には、段付きボス部３０ｂの小径部３０ｂＢよりも僅かに大きい内径で上下方向に延びる貫通孔２８Ｂｂが形成されている。
【００４１】
この厚肉部２８Ｂａの上面２８Ｂａ１および下面２８Ｂａ２は水平面に沿って延びるように形成されているが、その下面２８Ｂａ２には上下方向の押圧力によって潰れる脆弱部２８Ｂｃが形成されている。この脆弱部２８Ｂｃは、図２（ｂ）に示すように、下面２８Ｂａ２から下方へ突出する複数の突起部によって構成されている。
【００４２】
図３（ａ）は、レンズホルダ２８の第１板状部２８Ｂにおける厚肉部２８Ｂａの部分を示す底面図である。
【００４３】
図３（ａ）にも示すように、脆弱部２８Ｂｃを構成する各突起部は、三角形の断面形状で左右方向に直線状に延びるように形成されている。
【００４４】
図２（ｂ）に示すように、組付け前のレンズホルダ２８の厚肉部２８Ｂａは、段付きボス部３０ｂの小径部３０ｂＢの高さと略同じ厚さで形成されているが、その下面２８Ｂａ２からの脆弱部２８Ｂｃの下方突出量分だけ小径部３０ｂＢの高さよりも厚肉になっている。
【００４５】
ネジ５０は、タッピングスクリュウとして構成されている。リフレクタ２６のタブ部２６ａには、ネジ５０を挿通させるためのネジ挿通孔２６ｃが形成されている。また、基台３０の段付きボス部３０ｂにはネジ穴３０ｄが形成されている。このネジ穴３０ｄは、その下部領域がやや小径に形成されており、途中まで挿入されたネジ５０の回転によってタッピングされるように構成されている。
【００４６】
基台３０に対するリフレクタ２６およびレンズホルダ２８の固定は、段付きボス部３０ｂの小径部３０ｂＢにレンズホルダ２８の厚肉部２８Ｂａを上方側から嵌め込んで、その下面２８Ｂａ２を第２支持面３０ｂ２に当接させた後、リフレクタ２６のタブ部２６ａを厚肉部２８Ｂａの上面２８Ｂａ１に当接させ、その後、ネジ５０をタブ部２６ａのネジ挿通孔２６ｃを介して段付きボス部３０ｂのネジ穴３０ｄに挿入してネジ締めすることにより行われるようになっている。
【００４７】
その際、レンズホルダ２８の厚肉部２８Ｂａは、ネジ締めによって上下方向の押圧力を受けるので、その下面２８Ｂａ２に形成された脆弱部２８Ｂｃが潰れ、この厚肉部２８Ｂａの上面２８Ｂａ１に当接していたリフレクタ２６のタブ部２６ａが段付きボス部３０ｂの第１支持面３０ｂ１にも当接する。基台３０はダイカスト成形品であるので、リフレクタ２６のタブ部２６ａが段付きボス部３０ｂの第１支持面３０ｂ１に当接した時点で脆弱部２８Ｂｃの潰れは停止する。
【００４８】
そしてこのとき、基台３０の段付きボス部３０ｂの第１支持面３０ｂ１と、レンズホルダ２８の厚肉部２８Ｂａの上面２８Ｂａ１と、リフレクタ２６のタブ部２６ａの下面２６ａ１とが面一となる。
【００４９】
これにより、基台３０の第１支持面３０ｂ１が、該基台３０に支持された光源２４と、リフレクタ２６と、レンズホルダ２８に支持された投影レンズ２２とに対する共通の光学基準面ＲＰとして設定されるようになっている。
【００５０】
次に、本実施形態の作用効果について説明する。
【００５１】
本実施形態に係る灯具ユニット２０は、光源２４を支持する基台３０にリフレクタ２６（第１光学部材）を支持するための第１支持面３０ｂ１とレンズホルダ２８を介して投影レンズ２２（第２光学部材）を支持するための第２支持面３０ｂ２とが上下方向の異なる位置に形成されるとともに、リフレクタ２６およびレンズホルダ２８が上下方向（所要方向）に重ね合わされた状態でかつ第１および第２支持面３０ｂ１、３０ｂ２にそれぞれ当接した状態でネジ５０（固定具）によって基台３０の上面３０ａに固定された構成となっているが、レンズホルダ２８の厚肉部２８Ｂａの下面２８Ｂａ２には、ネジ５０の締付けによる上下方向の押圧力によって潰れる脆弱部２８Ｂｃが形成されているので、次のような作用効果を得ることができる。
【００５２】
すなわち、リフレクタ２６およびレンズホルダ２８を基台３０に固定するためにネジ５０の締付けによって両者に上下方向の押圧力を加えたとき、レンズホルダ２８の脆弱部２８Ｂｃが潰れることにより、たとえ各部材の寸法精度にバラツキがあったとしても、リフレクタ２６のタブ部２６ａが第１支持面３０ｂ１に当接したときリフレクタ２６と基台３０とによってレンズホルダ２８を確実に挟持することができる。
【００５３】
その際、基台３０の第１支持面３０ｂ１は、レンズホルダ２８の厚肉部２８Ｂａの上面２８Ｂａ１と面一となり、また、リフレクタ２６のタブ部２６ａの下面２６ａ１とも面一となるので、この第１支持面３０ｂ１を、基台３０に支持された光源２４ならびにリフレクタ２６およびレンズホルダ２８に支持された投影レンズ２２の共通の光学基準面ＲＰとして設定することができる。そしてこれにより、光源２４、リフレクタ２６および投影レンズ２２の位置関係精度を高めることができるので、灯具ユニット２０の配光機能を高めることができる。
【００５４】
このように本実施形態によれば、光源２４からの出射光をリフレクタ２６および投影レンズ２２で順次制御するように構成された灯具ユニット２０において、その配光機能を高めることができる。
【００５５】
特に本実施形態においては、リフレクタ２６およびレンズホルダ２８を基台３０に固定するための固定具が、リフレクタ２６およびレンズホルダ２８を基台３０に対して共締め可能なネジ５０で構成されているので、上下方向の押圧力を容易かつ確実に作用させることができる。
【００５６】
また本実施形態においては、第１および第２支持面３０ｂ１、３０ｂ２が互いに同心状に形成されているので、リフレクタ２６およびレンズホルダ２８の各々に対して上下方向の押圧力を均等に作用させることができる。
【００５７】
上記実施形態においては、レンズホルダ２８の厚肉部２８Ｂａの下面２８Ｂａ２に形成された脆弱部２８Ｂｃが、三角形の断面形状で左右方向に直線状に延びる複数の突起部によって構成されているものとして説明したが、これ以外の構成（例えば図３（ｂ）〜（ｄ）に示す第１〜第３変形例の構成）を採用することも可能である。
【００５８】
すなわち、図３（ｂ）に示す脆弱部１２８Ｂｃ（第１変形例）のように、三角形の断面形状で格子状に延びるように形成された複数の突起部によって構成されたものや、図３（ｃ）に示す脆弱部２２８Ｂｃ（第２変形例）のように、三角形の断面形状で放射状に延びるように形成された複数の突起部によって構成されたもの等が採用可能である。また、図３（ｄ）に示す脆弱部３２８Ｂｃ（第３変形例）のように、厚肉部２８Ｂａの下面２８Ｂａ２の全領域ではなく、その複数箇所に形成された複数の突起部によって構成されたもの等が採用可能である。
【００５９】
上記実施形態においては、リフレクタ２６およびレンズホルダ２８が、左右１対の第１板状部２８Ｂおよび第２板状部２８Ｃの３箇所において基台３０に取り付けられているものとして説明したが、それ以外の箇所において基台３０に取り付けられた構成とすることも可能である。
【００６０】
上記実施形態においては、リフレクタ２６およびレンズホルダ２８がネジ締めによって基台３０に固定されているものとして説明したが、ネジ５０以外の固定具を用いた固定方法（例えば圧入やカシメ固定等）によって固定された構成とすることも可能である。
【００６１】
上記実施形態においては、リフレクタ２６を支持するための第１支持面３０ｂ１が、レンズホルダ２８を介して投影レンズ２２を支持するための第２支持面３０ｂ２に対して上方側に形成されているものとして説明したが、第１支持面３０ｂ１が第２支持面３０ｂ２に対して下方側に形成された構成とすることも可能である。
【００６２】
上記実施形態においては、灯具ユニット２０がハイビーム照射用のヘッドランプユニットであるものとして説明したが、ロービーム照射用のヘッドランプユニットやフォグランプ用ユニット等である場合においても、上記実施形態と同様の構成を採用することにより上記実施形態と同様の作用効果を得ることができる。
【００６３】
次に、上記実施形態の第４変形例について説明する。
【００６４】
図４は、本変形例に係る灯具ユニットの要部を示す、図２と同様の図である。
【００６５】
本変形例においては、基台４３０およびリフレクタ４２６の構成の一部が、上記実施形態の場合と異なっている。
【００６６】
すなわち、本変形例の基台４３０は、段付きボス部４３０ｂの小径部４３０ｂＢの第１支持面４３０ｂ１に、該小径部４３０ｂＢよりもさらに小径の突出部４３０ｅが追加形成された構成となっている。
【００６７】
また、本変形例のリフレクタ４２６は、そのタブ部４２６ａが突出部４３０ｅを囲むように形成されている。その際、このタブ部４２６ａは、突出部４３０ｅの周辺部分が他の部分よりも上方側に膨らんだ厚肉部４２６ａＡとして形成されている。この厚肉部４２６ａＡの上面４２６ａＡ１には第２の脆弱部４２６ｃが形成されており、この第２の脆弱部４２６ｃにネジ５０の頭部５０ａが当接するようになっている。
【００６８】
この第２の脆弱部４２６ｃは、図４（ｂ）に示すように、台形状の断面形状で左右方向に直線状に延びる複数の突起部によって構成されている。これにより、この第２の脆弱部４２６ｃは、レンズホルダ２８の厚肉部２８Ｂａの下面２８Ｂａ２に形成された脆弱部２８Ｂｃよりも潰れにくい構成となっている。このため、ネジ５０の締付けによる上下方向の押圧力が作用したとき、レンズホルダ２８の脆弱部２８Ｂｃが段付きボス部４３０ｂの大径部４３０ｂＡの第２支持面４３０ｂ２との当接によって潰れた後に、第２の脆弱部４２６ｃがネジ５０の頭部５０ａとの当接によって潰れるようになっている。
【００６９】
リフレクタ４２６のタブ部４２６ａの厚肉部４２６ａＡは、段付きボス部４３０ｂの突出部４３０ｅの高さと略同じ厚さで形成されているが、その上面４２６ａＡ１からの第２の脆弱部４２６ｃの上方突出量分だけ突出部４３０ｂの高さよりも厚肉になっている。
【００７０】
このため、タブ部４２６ａの厚肉部４２６ａＡは、その上面４２６ａＡ１に当接したネジ５０の締付けによって上下方向の押圧力を受けるので、その上面４２６ａＡ１に形成された第２の脆弱部４２６ｃが潰れる。そして、この厚肉部４２６ａＡの上面４２６ａＡ１に当接していたネジ５０の頭部５０ａは段付きボス部４３０ｂの突出部４３０ｅの上面４３０ｅ１に当接する。基台４３０はダイカスト成形品であるので、ネジ５０の頭部５０ａが突出部４３０ｅの上面４３０ｅ１に当接した時点で第２の脆弱部４２６ｃの潰れは停止する。
【００７１】
本変形例の構成を採用した場合においても、上記実施形態の場合と同様の作用効果を得ることができる。
【００７２】
その上で、本変形例の構成を採用することにより、リフレクタ４２６およびレンズホルダ２８を基台４３０に固定する際、仮に上下方向の押圧力が過大に作用してしまったような場合においても、レンズホルダ２８の脆弱部２８Ｂｃが潰れた後、リフレクタ４２６の第２の脆弱部４２６ｃが潰れることにより、その余分な押圧力を吸収することができる。そしてこれにより、リフレクタ４２６における第２の脆弱部４２６ｃ以外の部分が不用意に変形してしまうのを未然に防止することができる。
【００７３】
なお、上記実施形態およびその変形例において諸元として示した数値は一例にすぎず、これらを適宜異なる値に設定してもよいことはもちろんである。
【００７４】
また、本願発明は、上記実施形態およびその変形例に記載された構成に限定されるものではなく、これ以外の種々の変更を加えた構成が採用可能である。
【符号の説明】
【００７５】
１０  車両用灯具
１２  ランプボディ
１４  透光カバー
２０  灯具ユニット
２２  投影レンズ（第２光学部材）
２４  光源
２６、４２６  リフレクタ（第１光学部材）
２６ａ、２６ｂ、４２６ａ  タブ部
２６ａ１、２８Ｂａ２  下面
２６ｃ  ネジ挿通孔
２８  レンズホルダ
２８Ａ  円環部
２８Ｂ  第１板状部
２８Ｂａ、２８Ｃａ、４２６ａＡ  厚肉部
２８Ｂａ１、３０ａ、４２６ａＡ１、４３０ｅ１  上面
２８Ｂｂ  貫通孔
２８Ｂｃ、１２８Ｂｃ、２２８Ｂｃ、３２８Ｂｃ  脆弱部
２８Ｃ  第２板状部
３０、４３０  基台
３０ｂ、３０ｃ、４３０ｂ  段付きボス部
３０ｂＡ、４３０ｂＡ  大径部
３０ｂＢ、４３０ｂＢ  小径部
３０ｂ１、４３０ｂ１  第１支持面
３０ｂ２、４３０ｂ２  第２支持面
３０ｄ  ネジ穴
４０  ブラケット
４２  ピボット
４４  エイミングスクリュウ
５０  ネジ（固定具）
５０ａ  頭部
４３０ｅ  突出部
４２６ｃ  第２の脆弱部
Ａｘ  光軸
Ｆ  後側焦点
ＲＰ  光学基準面
【図１】
2018045978.tif 000003
【図２】
2018045978.tif 000004
【図３】
2018045978.tif 000005
【図４】
2018045978.tif 000006